(57)【特許請求の範囲】
【請求項１】
土葺工法用の瓦の裏面における棟側中央部に取り付け可能な取り付け部と、当該取り付け部から略垂直方向に突出した状態で設けられ、桟木に引掛け可能な突起部と、を備え、前記突起部に、前記桟木に固定させるための固定部材を貫通させる貫通孔が設けられていることを特徴とする瓦用引掛部材。
【請求項２】
請求項１に記載の土葺工法用の瓦用引掛部材が取り付けられていることを特徴とする土葺工法用瓦。
【発明の詳細な説明】
【技術分野】
【０００１】
本発明は、瓦用引掛部材及びこれを取り付けた瓦、並びに瓦の施工方法に関するものである。
【背景技術】
【０００２】
従来、瓦の施工方法は、土葺工法と引掛葺工法とに大別される。土葺工法とは、野地板の上に練り土を配置し、さらにその上に瓦を葺いていく工法であり、引掛葺工法とは、瓦の裏面に突起を設け、この突起を野地板の上に配置された桟木に引掛けて、瓦を葺いていく工法である。このような引掛葺工法で用いられる瓦としては、特許文献１及び特許文献２に記載のように、瓦の裏面に突起が一体成形されたものが知られている。
【０００３】
ところで、上述した土葺工法では、野地板の上に練り土を配置することから、上述した引掛葺工法と比べて、重量が重くなるという問題や、練り土が痩せてくると瓦がすべり落ちやすくなるという問題がある。
【０００４】
このため、近年、耐震強度を向上させるという観点から、土葺工法ではなく、引掛葺工法で瓦を施工することが主流になってきており、土葺工法で施工した瓦を引掛葺工法で葺き換える工事も多々行われている。
【特許文献１】特開２００２−４５０６号公報
【特許文献２】特開２００５−３２５５２０号公報
【発明の開示】
【発明が解決しようとする課題】
【０００５】
しかしながら、引掛葺工法で施工する場合には、上述した特許文献１及び特許文献２に記載のように、突起が裏面に一体成形された引掛葺工法用の瓦を用いる必要があることから、土葺工法用の瓦を転用することはできない。
【０００６】
このため、土葺工法で施工した瓦を引掛葺工法で葺き換える場合には、土葺工法で葺かれていた瓦を廃棄し、新たに引掛葺工法用の瓦を葺く必要があるため、作業に要するコストや廃棄物の増大が問題視されている。
【０００７】
そこで、本発明は上記事情に鑑みてなされたものであり、土葺工法用の瓦を、引掛葺工法用の瓦として用いることができるようにすることを課題としている。
【課題を解決するための手段】
【０００８】
このような課題を解決するために、本発明に係る瓦用引掛部材は、土葺工法用の瓦の裏面における棟側中央部に取り付け可能な取り付け部と、当該取り付け部から略垂直方向に突出した状態で設けられ、桟木に引掛け可能な突起部と、を備えた構成としている。
【０００９】
なお、本発明に係る瓦用引掛部材の材料としては、耐久性や耐食性に優れた材料を用いることが好ましく、例えば、鋼やアルミニウム等の金属材料を用いることが好ましい。
【００１０】
また、突起部は、取り付け部に対して略垂直方向に突設されるのであれば特に限定されず、取り付け部と一体で形成されてもよいし、取り付け部とは別体で形成されてもよい。
【００１１】
さらに、取り付け部は、土葺工法用の瓦の裏面における棟側中央部に取り付け可能な構成であれば特に限定されず、例えば、瓦の表面及び裏面の両方に取り付けられる構成であってもよい。
【００１２】
本発明に係る瓦用引掛部材によれば、土葺工法用の瓦に取り付けることにより、この瓦を引掛葺工法用の瓦として用いることができるようになる。よって、土葺工法で施工されていた瓦を引掛葺工法で葺き換えることができるとともに、既に製品化されている土葺工法用の瓦を廃棄することなく、引掛葺工法用の瓦として転用することができるため、土葺工法で施工された瓦を引掛葺工法で葺き換える際の作業に要するコストや廃棄物の低減を図ることが可能となる。
【００１３】
ここで、本発明に係る瓦用引掛部材において、前記突起部には、前記桟木に固定させるための固定部材を貫通させる貫通孔が設けられた構成を採用する。
【００１４】
この構成とすることにより、瓦用引掛部材が取り付けられた土葺工法用瓦を桟木に引掛けた状態で安定して固定することができるため、瓦を施工する際の作業効率を向上させるとともに、耐震強度を向上させることが可能となる。
【００１５】
また、本発明に係る土葺工法用瓦は、本発明に係る瓦用引掛部材が取り付けられた構成としている。
本発明に係る土葺工法用瓦によれば、瓦に取り付けられた瓦用引掛部材の突起部を桟木に引掛けて葺くことができるため、引掛葺工法用の瓦として用いることができる。
【００１６】
本発明に係る土葺工法用瓦の第一の施工方法は、土葺工法用の瓦の裏面における棟側中央部に、請求項１に記載の瓦用引掛部材を取り付ける工程と、前記瓦用引掛部材の突起部を桟木に引掛ける工程と、を備えたことを特徴としている。
【発明の効果】
【００２１】
本発明に係る瓦用引掛部材によれば、土葺工法用の瓦に取り付けることにより、土葺工法用の瓦を、引掛葺工法用の瓦として用いることが可能となる。
【００２２】
本発明に係る土葺工法用瓦によれば、本発明に係る瓦用引掛部材が取り付けられていることにより、土葺工法用の瓦を、引掛葺工法用の瓦として用いることが可能となる。
【発明を実施するための最良の形態】
【００２４】
以下、本発明の実施形態について図面を参照しながら説明する。
【００２５】
＜第一実施形態＞
図１は、本発明に係る土葺工法用瓦の一構成例を示す斜視図である。
【００２６】
第一実施形態における瓦１０Ａは、図１に示すように、通常、土葺工法で用いられるJ形瓦（和瓦）１の裏面１ａにおける棟側中央部に鋼製の瓦用引掛部材２が取り付けられた構成となっている。
【００２７】
瓦用引掛部材２は、Ｊ形瓦１の裏面１ａに取り付け可能な帯状の取り付け部２１Ａと、この取り付け部２１Ａの一端部に略垂直方向に突設され、取り付け部２１Ａの延伸方向に対して略垂直方向に延伸する帯状の突起部２２Ａと、を備えた構成となっている。
【００２８】
ここで、取り付け部２１Ａには、Ｊ形瓦１の裏面１ａに締め釘（リベット）３で固定するための釘孔２１ａが複数設けられている。そして、Ｊ形瓦１の表裏面を貫通するように設けられた複数の貫通孔１ｂと、釘孔２１ａとにリベット３を貫通させることで、Ｊ形瓦１の裏面1ａ側に瓦用引掛部材２が取り付けられている。
【００２９】
また、突起部２２Ａには、桟木に釘（固定部材）で固定するための釘孔（貫通孔）２２ａが複数個設けられている。この瓦用引掛部材２は、例えば、平面視略Ｔ字状に打ち抜いた平板の一部を、略垂直方向に曲げ加工することで形成することができる。
【００３０】
以下、第一実施形態における瓦１０Ａの一施工方法について、図２を参照しながら説明する。
図２は、本発明に係る土葺工法用瓦の施工方法の一例を示す斜視図である。
【００３１】
まず、上述したように、Ｊ形瓦１の裏面１ａに瓦用引掛部材２を取り付けて、本実施形態における瓦１０Ａを完成させる。
【００３２】
次に、図２（ａ）に示すように、屋根の野地板２０上に複数列配設された桟木３０の上側面に、瓦１０Ａをなす瓦用引掛部材２の突起部２２Ａを引掛ける。
【００３３】
次に、桟木３０に引掛けられた突起部２２Ａの貫通孔２２ａから釘（固定部材）４を打ち込んで、桟木３０に突起部２２Ａを固定する。これにより、桟木３０に瓦用引掛部材２が引掛けられた状態で、瓦１０Ａが固定される。
【００３４】
続いて、この手順を複数の瓦１０Ａに対して繰り返し行い、桟木３０の延伸方向に瓦１０Ａを葺いていく。そして、一列の桟木３０に対して複数の瓦１０Ａを葺き終わった後には、この桟木３０の上方に配設された桟木３０に対しても、同様の手順で瓦１０Ａを葺いていく。この時、図２（ｂ）に示すように、下方の桟木３０に固定された瓦１０Ａの上面には、上方の桟木３０に固定された瓦１０Ａが重なって配置される。
【００３５】
第一実施形態における瓦１０Ａによれば、土葺工法用のＪ形瓦１の裏面１ａに瓦用引掛部材２が取り付けられているため、引掛葺工法で施工することができる。このため、従来、土葺工法で施工されていたＪ形瓦１を再利用して、引掛葺工法で葺き換えることが可能となるため、葺き換えの際のコストや廃棄物の低減を図ることができる。
【００４７】
なお、本実施形態における瓦１０Ａ，１０Ｂにおいては、Ｊ形瓦１の裏面１ａ側に瓦用引掛部材２を取り付ける構成としたが、瓦用引掛部材２を取り付ける瓦はこれに限らず、瓦用引掛部材２をＳ形やＦ形の瓦に取り付けるようにしてもよい。
【００４８】
また、本実施形態における瓦１０Ａ，１０Ｂにおいては、瓦用引掛部材２を桟木３０に引掛けた状態で固定する場合について説明したが、瓦用引掛部材２を桟木３０に固定しないようにしてもよい。但し、瓦１０Ａ，１０Ｂをより安定して葺くためには、本実施形態で示したように、瓦用引掛部材２を桟木３０に引掛けた状態で固定することが好ましい。
【００４９】
さらに、本実施形態における瓦１０Ａ，１０Ｂにおいては、引掛葺工法のうち引掛桟葺工法で施工する場合について説明したが、瓦をより安定して葺くために、少量の葺土を要所に入れる引掛馴染葺工法で施工するようにしてもよい。
【図面の簡単な説明】
【００５０】
【図１】本発明における土葺工法用瓦の一構成例を示す斜視図である。
【図２】本発明における土葺工法用瓦の一施工方法を示す斜視図である。
【符号の説明】
【００５１】
１    Ｊ形瓦
２    瓦用引掛部材
３    リベット
４    釘（固定部材）
５    釘（固定部材）
１０Ａ，１０Ｂ    瓦
２０    野地板
２１Ａ，２１Ｂ    取り付け部
２１ａ，２２ａ，２１ｂ    貫通孔
２２Ａ，２２Ｂ    突起部
３０    桟木
【図１】
0004761558.tif 000002
【図２】
0004761558.tif 000003